(57)【特許請求の範囲】
【請求項１】
潤滑油含有被圧縮流体が存在する圧縮機構駆動用電動機収容部と該電動機への給電回路部との間に配置され該両側部位間を隔離する隔壁と、該隔壁を密封絶縁状態にて貫通して延びる前記電動機への給電用端子部材とを備えた電動圧縮機の端子装置において、前記端子部材の前記両側部位間にわたる通電部を絶縁ワニスで覆ったことを特徴とする電動圧縮機の端子装置。
【請求項２】
前記端子部材が、前記給電回路部側で固定可能なボルト状部材からなる、請求項１に記載の電動圧縮機の端子装置。
【請求項３】
前記端子部材の前記電動機収容部側端部に、前記電動機への給電用引き出し線の端部が直接接続されている、請求項１または２に記載の電動圧縮機の端子装置。
【請求項４】
前記絶縁ワニスが電着ワニスからなる、請求項１〜３のいずれかに記載の電動圧縮機の端子装置。
【請求項５】
前記潤滑油としてポリアルキレングリコール系オイルが用いられている、請求項１〜４のいずれかに記載の電動圧縮機の端子装置。
【請求項６】
前記隔壁が圧縮機ハウジングからなる、請求項１〜５のいずれかに記載の電動圧縮機の端子装置。
【請求項７】
前記電動圧縮機が車両用空調装置に用いられる圧縮機からなる、請求項１〜６のいずれかに記載の電動圧縮機の端子装置。
【発明の詳細な説明】
【技術分野】
【０００１】
本発明は、電動圧縮機の端子装置に関し、とくに、被圧縮流体（例えば、冷媒）に含有される潤滑油の種類を安価なものに変更可能で、かつ、潤滑油を変更した場合にも良好な絶縁性と通電性を確保可能で安価に構成可能な電動圧縮機の端子装置に関する。
【背景技術】
【０００２】
従来から、電動圧縮機の内蔵電動機への給電を密封端子装置（ハーメチック端子とも呼ばれている。）を用いて行うようにした構造が知られている（例えば、特許文献１）。このような従来の電動圧縮機の端子装置においては、例えば図４に示すように、圧縮機ハウジング１０１の所定位置に、端子板１０２に複数の端子１０３を密封絶縁状態（例えば、ガラスを介した密封絶縁状態）にて貫通させて保持させた密封端子装置１０４を取り付け、この密封端子装置１０４の各密封端子１０３の内端に、樹脂ハウジング１０５内に複数の入力用雌端子１０６が保持されたクラスタ１０７の各入力用雌端子１０６を嵌合等により電気的に接続し、入力用雌端子１０６に接続された給電用電線１０８を通して内蔵電動機のステータ巻線へと通電するようになっている。
【０００３】
また、圧縮機で圧縮する被圧縮流体（例えば、冷媒Ｒ１３４ａ）には、一般に圧縮機の各部潤滑等のために潤滑油が含有されており、電動機内蔵の電動圧縮機では、内蔵電動機冷却等のために、潤滑油含有被圧縮流体が、電動機収容部にも存在され（通過され）端子装置の電動機収容部側に接触するため、この部位に高い絶縁性が要求される。とくに上記のような密封端子１０３の内端にクラスタ１０７が接続される構造では、嵌合等による通電部の接続構造が存在するため隙間部分が多くなり、そこに潤滑油含有被圧縮流体が流入して絶縁性が低下しやすくなるので、潤滑油を通しての漏電等を防止するためには、高い絶縁性が要求される。上記のような従来の電動圧縮機においては、通常、家電等に一般的に用いられているポリオールエステル系オイルが潤滑油として使用されており、このポリオールエステル系オイルはオイル自体が比較的高い絶縁性を有しているため、絶縁不良に関する問題は発生していない。
【特許文献１】特開２００６−４２４０９号公報
【発明の開示】
【発明が解決しようとする課題】
【０００４】
ところが、上記ポリオールエステル系オイルは、高価であるため、潤滑油をより安価なもの、とくにポリアルキレングリコール系オイルに変更したいとの要求がある。しかし、ポリアルキレングリコール系オイルは、ポリオールエステル系オイルに比べて絶縁性能が低いため、従来のクラスタ端子構造のまま潤滑油の種類を変更するのでは、絶縁性能に不安が残る。
【０００５】
そこで本発明の課題は、ポリアルキレングリコール系オイルを被圧縮流体含有潤滑油として用いた場合にも十分に高い絶縁性能を発揮可能で、かつ、クラスタを用いない構造も容易に採用可能であり、絶縁性能を向上しつつ簡単な構造で安価に構成可能な電動圧縮機の端子装置を提供することにある。
【課題を解決するための手段】
【０００６】
上記課題を解決するために、本発明に係る電動圧縮機の端子装置は、潤滑油含有被圧縮流体が存在する圧縮機構駆動用電動機収容部と該電動機への給電回路部との間に配置され該両側部位間を隔離する隔壁と、該隔壁を密封絶縁状態にて貫通して延びる前記電動機への給電用端子部材とを備えた電動圧縮機の端子装置において、前記端子部材の前記両側部位間にわたる通電部を絶縁ワニスで覆ったことを特徴とするものからなる。
【０００７】
このような電動圧縮機の端子装置においては、隔壁を密封絶縁状態にて貫通して延びる端子部材の、絶縁性が要求される上記両側部位間にわたる所定の通電部を絶縁ワニスで覆うだけの簡単な構造で、この部分の絶縁性が大幅に向上される。したがって、被圧縮流体含有潤滑油として絶縁性能の低いポリアルキレングリコール系オイルを用いた場合にも、必要かつ十分に高い絶縁性能を発揮可能となる。
【０００８】
とくに、上記端子部材を、給電回路部側で固定可能なボルト状部材に構成すれば、所定の位置に固定された通電部材としての端子部材に対し、望ましい絶縁部位を確実に絶縁できるようになる。
【０００９】
また、端子部材の電動機収容部側端部に、電動機への給電用引き出し線の端部が直接接続されている構造を採用することにより、従来のクラスタを廃することが可能になり、端子部材の内端側でクラスタ構造を介さずに簡単に所定の電気的接続を行うことが可能になるとともに、クラスタ構造がないため不要な隙間等が発生せず、潤滑油含有被圧縮流体に晒される通電露出部位を減らすことが可能になって、一層絶縁性能が向上される。
【００１０】
上記絶縁ワニスには、例えば電着ワニスを使用できる。電着ワニスとすることにより、簡単に、均一な膜厚で絶縁層を形成でき、所望の範囲にわたって容易に所望の絶縁性が得られる。
【００１１】
上記被圧縮流体に含有される潤滑油としては、例えば、前述したようなより安価なポリアルキレングリコール系オイルが用いられることが好ましい。ポリアルキレングリコール系オイル自体の絶縁性はポリオールエステル系オイルに比べて低いものの、端子部材の絶縁ワニス被覆構造により、必要な部位に対して十分に高い絶縁性を実現することが可能になる。
【００１２】
本発明に係る電動圧縮機の端子装置においては、上記隔壁としては、例えば、圧縮機ハウジングから構成することができる。また、圧縮機ハウジングを開放構造に形成しておき、蓋部材、例えば給電回路部の支持部材を兼ねた蓋部材により、圧縮機ハウジング開放部を密閉するようにし、この蓋部材に上記隔壁機能を持たせることも可能である。
【００１３】
また、本発明に係る電動圧縮機の端子装置は、絶縁性能の向上や、端子装置部の構造の簡素化が要求されるあらゆる電動圧縮機に適用可能であるが、とくに大量生産され、全体の低コスト化、使用潤滑油の低コスト化が強く要求される車両用空調装置に用いられる圧縮機に好適なものである。
【００１４】
なお、本発明における電動圧縮機とは、圧縮機構の駆動源として電動機のみを内蔵した電動圧縮機に加え、外部駆動源（例えば、車両のエンジンや、車両走行用の電動機等）のみにより駆動される第１圧縮機構と、内蔵電動機のみにより駆動される第２圧縮機構とを１台の圧縮機内にともに有し、第１圧縮機構と第２圧縮機構を選択的にあるいは同時に駆動できるようにした、いわゆるハイブリッド圧縮機も含み、後者の場合には、その内蔵電動機の端子装置に本発明を適用できる。
【発明の効果】
【００１５】
本発明に係る電動圧縮機の端子装置によれば、端子部材の所定部位を絶縁ワニスで覆うことにより、ポリアルキレングリコール系オイルを被圧縮流体含有潤滑油として用いた場合にも十分に高い絶縁性能を発揮可能となり、クラスタを用いない構造も容易に採用可能となる。したがって、簡単で安価に実施できる構造でありながら、所望の絶縁性能を有する電動圧縮機の端子装置を提供することができる。
【発明を実施するための最良の形態】
【００１６】
以下に、本発明の望ましい実施の形態を図面を参照しながら説明する。
図１は、本発明が適用される電動圧縮機の例を示しており、図２、図３は、その電動圧縮機に本発明を適用した場合の端子装置の端子部材の例を示している。図１において、１は電動圧縮機全体を示しており、該電動圧縮機１は、固定スクロール２と可動スクロール３からなるスクロール型の圧縮機構４を備えており、吸入室５から吸入された被圧縮流体（例えば、冷媒Ｒ１３４ａ）が圧縮機構４で圧縮された後、吐出室６に吐出される。可動スクロール３は、固定スクロール２に対して、クランク機構７を介して、圧縮機ハウジング８に内蔵された電動機９の回転軸１０によって旋回駆動されるようになっている。電動機９は、ステータ１１とロータ１２から構成されており、回転軸１０はロータ１２と一体に回転される。被圧縮流体は、ポリアルキレングリコール系オイルからなる潤滑油を含有しており、この潤滑油含有被圧縮流体は、内蔵電動機９の収容部１３にも通過されるようになっている。
【００１７】
圧縮機ハウジング８の側壁１４には、端子装置１５が設けられており、外部電源（図示略）に接続された給電回路部１６から、端子装置１５を介して、電動機９に所定の給電が行われる。この給電は、潤滑油含有被圧縮流体が存在する圧縮機構駆動用電動機９の収容部１３と該電動機９への給電回路部１６との間に配置され該両側部位間を隔離する隔壁（本実施態様の場合には、圧縮機ハウジング８の側壁１４）を密封絶縁状態にて貫通して延びる電動機９への給電用端子部材１７と、該端子部材１７の内端（電動機収容部側端部）に接続された電動機９への給電用引き出し線１８を介して行われる。給電用引き出し線１８の芯線は、電動機９のステータ１１の巻き線を構成すべく、ステータ１１へと延びている。
【００１８】
上記端子部材１７は、図２に示すように、給電回路部１６側で固定可能なボルト状部材に形成されている。この端子部材１７の、電動機収容部１３と給電回路部１６の両側部位間にわたる通電部は、電着ワニスからなる絶縁ワニス１９で覆われており、この区間における端子部材１７の外面は、周囲に対して完全に絶縁されている。したがって、とくに端子部材１７の内端部側部位およびその周辺部位は、たとえ被圧縮流体含有潤滑油に接触したとしても、高い絶縁性能が確保されている。
【００１９】
端子部材１７の内端（電動機収容部側端部）には、図３に示すように、給電用引き出し線１８の端部、とくに絶縁被覆チューブ２０で覆われた給電用引き出し線１８の芯線である電動機９のステータ１１の巻き線２１の端部が、例えばかしめ等により接続されている。
【００２０】
上記のように構成された電動圧縮機の端子装置によれば、端子部材１７の所定部位の外面が絶縁ワニス１９で覆われていることにより、ポリアルキレングリコール系オイルを被圧縮流体含有潤滑油として用いた場合にも、端子部材１７の周囲に対して十分に高い絶縁性能を発揮することが可能となる。また、この部位での絶縁性を高め、端子部材１７の内端に直接ステータ１１の巻き線２１の端部が接続されることにより、従来構造におけるクラスタを用いない構造が容易に達成可能となる。このように、極めて簡単な構造でありながら、所望の絶縁性能を有する電動圧縮機の端子装置を安価に実現できる。
【産業上の利用可能性】
【００２１】
本発明に係る電動圧縮機の端子装置は、電動機を内蔵したあらゆる電動圧縮機に適用可能であり、とくに大量生産され、圧縮機全体の低コスト化、使用潤滑油の低コスト化が要求される車両用空調装置に用いられる圧縮機に好適なものである。
【図面の簡単な説明】
【００２２】
【図１】本発明に係る電動圧縮機の端子装置が適用される電動圧縮機の例を示す縦断面図である。
【図２】図１の電動圧縮機の端子装置に用いられる端子部材の概略側面図である。
【図３】図２の端子部材への給電用引き出し線の接続例を示す概略側面図である。
【図４】従来の端子装置の概略構成図である。
【符号の説明】
【００２３】
１  電動圧縮機
２  固定スクロール
３  可動スクロール
４  圧縮機構
８  圧縮機ハウジング
９  電動機
１０  回転軸
１１  ステータ
１２  ロータ
１３  電動機収容部
１４  隔壁としての圧縮機ハウジングの側壁
１５  端子装置
１６  給電回路部
１７  給電用端子部材
１８  給電用引き出し線
１９  絶縁ワニス
２０  絶縁被覆チューブ
２１  ステータの巻き線
【図１】
0004916421.tif 000002
【図２】
0004916421.tif 000003
【図３】
0004916421.tif 000004
【図４】
0004916421.tif 000005